(57)【要約】【課題】本発明では、電場の乱れが防がれたガイガーミュラー計数管及び放射線検出器を提供する【解決手段】ガイガーミュラー計数管（１００）は、ガラスにより形成され、両端部が密封された空間を有する筒形の封入管（１１０）と、空間（１１４）内に配置される棒状部（１２１）と棒状部につながる線状の第１金属リード部（１２２）とを含み、第１金属リード部が封入管の一方の端部で支持された陽極電極（１２０）と、空間内では陽極電極の周りを取り囲む環状部（１３１）と環状部につながる線状の第２金属リード部（１３２）とを含み、第２金属リード部が封入管の他方の端部で支持された陰極電極（１３０）と、空間内に密封された不活性ガス及びクエンチガスと、を備える。【選択図】  図２
2014055817.tif 000002
【特許請求の範囲】
【請求項１】
ガラスにより形成され、両端部が密封された空間を有する筒形の封入管と、
前記空間内に配置される棒状部と前記棒状部につながる線状の第１金属リード部とを含み、前記第１金属リード部が前記封入管の一方の端部で支持された陽極電極と、
前記空間内では前記陽極電極の周りを取り囲む環状部と前記環状部につながる線状の第２金属リード部とを含み、前記第２金属リード部が前記封入管の他方の端部で支持された陰極電極と、
前記空間内に密封された不活性ガス及びクエンチガスと、
を備えるガイガーミュラー計数管。
【請求項２】
前記陰極電極の前記環状部は、前記空間内で前記陽極電極の周りを巻き線状に取り囲んでいる請求項１に記載のガイガーミュラー計数管。
【請求項３】
前記陰極電極の前記環状部は、前記空間内で前記陽極電極を取り囲み円筒形に丸められた金属のシートにより形成される金属シート部を有し、
前記金属シート部は、前記封入管の内壁に密着して配置される請求項１に記載のガイガーミュラー計数管。
【請求項４】
前記陰極電極の前記環状部は、前記空間内で前記陽極電極を取り囲む円筒形の金属パイプ部を有し、
前記金属パイプ部はステンレス又は金属コバールにより形成され、前記第２金属リード部及び前記封入管の組み合わせが、金属コバール及びホウケイ酸ガラス、又は４２６合金（Ni42％、Cr6％、残りFe）及びソーダガラスである請求項１に記載のガイガーミュラー計数管。
【請求項５】
前記陽極電極及び前記陰極電極は１００％のモリブデンにより形成され、前記ガラスは前記モリブデンの熱膨張係数と同じ又は近い熱膨張係数を有するモリブデン封着用ガラスである請求項１又は請求項２に記載のガイガーミュラー計数管。
【請求項６】
前記封入管を形成するガラスは石英ガラスであり、前記第１金属リード部及び第２金属リード部は、前記石英ガラスに直接接して前記封入管より引き出されている請求項１から請求項３いずれか一項に記載のガイガーミュラー計数管。
【請求項７】
請求項１から請求項６のいずれか一項に記載されたガイガーミュラー計数管と、
前記ガイガーミュラー計数管からのパルスを増幅する増幅器と、
前記増幅器に接続されたカウンターと、を備える放射線検出器。
【発明の詳細な説明】
【技術分野】
【０００１】
本発明は、不活性ガスが封入されたガイガーミュラー計数管及び放射線検出器に関する。
【背景技術】
【０００２】
ガイガーミュラー計数管（ＧＭ管）は、主に放射線検出器に用いられる部品である。ＧＭ管には陽極及び陰極の電極が形成され、ＧＭ管の中には不活性ガスが封入される。また、ＧＭ管の陽極及び陰極の間には高い電圧がかけられて使用される。ＧＭ管の中に侵入した放射線は不活性ガスを電子とイオンとに電離させ、電離した電子及びイオンはそれぞれ陽極及び陰極に向かって加速される。これにより陽極と陰極との間が通電され、パルス信号が発生する。
【０００３】
例えば、特許文献１には放射線を計測するための比例計数管が開示されている。特許文献１の比例計数管では、一方の端から陰極及び陽極の各電極が引き出されている。
【先行技術文献】
【特許文献】
【０００４】
【特許文献１】特開昭５９−５９８３号公報
【発明の概要】
【発明が解決しようとする課題】
【０００５】
しかし、特許文献１では、一方の端から陰極及び陽極の各電極が引き出されているため陽極と陰極とが互いに近接することによりＧＭ管内の電場が乱れて放射線の正確な測定を妨げる。また、陰極及び陽極がＧＭ管内で互いに近接すると放電が起こりやすくなるという問題がある。
【０００６】
本発明では、電場の乱れの少ないガイガーミュラー計数管及び放射線検出器を提供することを目的とする。
【課題を解決するための手段】
【０００７】
第１観点のガイガーミュラー計数管は、ガラスにより形成され、両端部が密封された空間を有する筒形の封入管と、空間内に配置される棒状部と棒状部につながる線状の第１金属リード部とを含み、第１金属リード部が封入管の一方の端部で支持された陽極電極と、空間内では陽極電極の周りを取り囲む環状部と環状部につながる線状の第２金属リード部とを含み、第２金属リード部が封入管の他方の端部で支持された陰極電極と、空間内に密封された不活性ガス及びクエンチガスと、を備える。
【０００８】
第２観点のガイガーミュラー計数管は、第１観点において、陰極電極の環状部が空間内で陽極電極の周りを巻き線状に取り囲んでいる。
【０００９】
第３観点のガイガーミュラー計数管は、第１観点において、陰極電極の環状部が、空間内で陽極電極を取り囲み円筒形に丸められた金属のシートにより形成される金属シート部を有し、金属シート部が、封入管の内壁に密着して配置される。
【００１０】
第４観点のガイガーミュラー計数管は、第１観点において、陰極電極の環状部が、空間内で陽極電極を取り囲む円筒形の金属パイプ部を有し、金属パイプ部がステンレス又は金属コバールにより形成され、第２金属リード部及び封入管の組み合わせが、金属コバール及びホウケイ酸ガラス、又は４２６合金（Ni42％、Cr6％、残りFe）及びソーダガラスである。
【００１１】
第５観点のガイガーミュラー計数管は、第１観点及び第２観点において、陽極電極及び陰極電極が１００％のモリブデンにより形成され、ガラスがモリブデンの熱膨張係数と同じ又は近い熱膨張係数を有するモリブデン封着用ガラスである。
【００１２】
第６観点のガイガーミュラー計数管は、第１観点から第４観点において、封入管を形成するガラスが石英ガラスであり、第１金属リード部及び第２金属リード部が、石英ガラスに直接接して封入管より引き出されている。
【００１３】
第７観点の放射線検出器は、第１観点から第６観点のガイガーミュラー計数管と、ガイガーミュラー計数管からのパルスを増幅する増幅器と、増幅器に接続されたカウンターと、を備える。
【発明の効果】
【００１４】
本発明のガイガーミュラー計数管及び放射線検出器によれば、ガイガーミュラー計数管内の電場の乱れを防ぐことができる。
【図面の簡単な説明】
【００１５】
【図１】放射線検出器１０の概略図である。
【図２】（ａ）は、ガイガーミュラー計数管１００の断面図である。  （ｂ）は、図２（ａ）のＡ−Ａ断面図である。
【図３】ガイガーミュラー計数管２００の断面図である。
【図４】（ａ）は、ガイガーミュラー計数管３００の断面図である。  （ｂ）は、図４（ａ）のＢ―Ｂ断面図である。
【図５】（ａ）は、ガイガーミュラー計数管３００Ｂの側面図である。  （ｂ）は、ガイガーミュラー計数管３００Ｂの断面図である。
【図６】（ａ）は、ガイガーミュラー計数管４００の断面図である。  （ｂ）は、図６（ａ）のＣ−Ｃ断面図である。
【発明を実施するための形態】
【００１６】
以下、本発明の好適な実施の形態を図面に基づいて詳細に説明する。なお、本発明の範囲は以下の説明において特に本発明を限定する旨の記載がない限り、これらの形態に限られるものではない。
【００１７】
（第１実施形態）
＜放射線検出器１０の構成＞
図１は、放射線検出器１０の概略図である。放射線検出器１０は、主に測定部１１、信号処理部１２、及び測定部１１と信号処理部１２とを繋ぐケーブル１３を有している。測定部１１は放射線を受けてパルス信号を発生させる部分であり、後述されるガイガーミュラー計数管１００（図２（ａ）参照）が配置される。測定部１１において発生したパルス信号は、ケーブル１３を伝って信号処理部１２に送られる。信号処理部１２にはパルス信号を増幅する増幅器（不図示）及び増幅器に接続されパルス信号を数えるためのカウンター（不図示）等が備えられている。信号処理部１２ではパルス信号が放射線量に換算され、換算された放射線量は信号処理部１２に形成される結果表示部１４に表示される。
【００１８】
＜ガイガーミュラー計数管１００の構成＞
図２（ａ）は、ガイガーミュラー計数管１００の断面図である。ガイガーミュラー計数管１００は、円筒形の封入管１１０と、陽極電極１２０と、陰極電極１３０と、により構成されている。以下の説明では、封入管１１０が伸びる方向をＺ軸方向、封入管１１０を構成する円筒の直径方向でありＺ軸方向に垂直な方向をＸ軸方向、同じく、封入管１１０を構成する円筒の直径方向でありＸ軸方向及びＺ軸方向に垂直な方向をＹ軸方向とする。封入管１１０はガラスを基材としており、＋Ｚ軸側及び−Ｚ軸側の端部が封止されて封入管１１０内に空間１１４が形成されている。また、封入管１１０の＋Ｚ軸側の端には排気管１１２が取り付けられている。
【００１９】
陽極電極１２０は、封入管１１０の空間１１４でＺ軸方向に沿って伸びる棒状部１２１と、封入管１１０の−Ｚ軸側の端で支持されて封入管１１０に固定される第１金属リード部１２２と、を含んでいる。陽極電極１２０は、第１金属リード部１２２を介して空間１１４に挿入されており、第１金属リード部１２２と棒状部１２１とは電気的に接続されている。棒状部１２１と第１金属リード部１２２とは互いに別個に形成された後に溶接されて電気的に接続されてもよいし、初めから一体的に形成されてもよい。
【００２０】
陰極電極１３０は、封入管１１０の空間１１４で陽極電極１２０の棒状部１２１の周りを取り囲む環状部１３１と、封入管１１０の＋Ｚ軸側の端で支持されて封入管１１０に固定される第２金属リード部１３２と、を含んでいる。陰極電極１３０は第２金属リード部１３２を介して空間１１４に挿入されており、第２金属リード部１３２と環状部１３１とは電気的に接続されている。また、環状部１３１は、陽極電極１２０の棒状部１２１の先端が環状部１３１に囲まれる空間１１５の外側に配置されるように空間１１４に配置される。
【００２１】
図２（ｂ）は、図２（ａ）のＡ−Ａ断面図である。封入管１１０の空間１１４には、陽極電極１２０の棒状部１２１及び陰極電極１３０の環状部１３１が配置される。環状部１３１は、例えば鉄、ニッケル、コバルトの合金である金属コバール又はステンレスにより形成される円筒形の金属パイプにより構成され、棒状部１２１はこの金属パイプの中心軸上に配置されている。これにより、陰極電極１３０と陽極電極１２０との間に電圧がかかった場合には、Ｘ−Ｙ平面内において、環状部１３１に囲まれる空間１１５の電場が棒状部１２１を中心とした回転対称に形成される。また、空間１１５を含む空間１１４には不活性ガス及びクエンチガスが封入される。不活性ガスには、例えばヘリウム（Ｈｅ）、ネオン（Ｎｅ）、又はアルゴン（Ａｒ）などの希ガスが用いられる。また、クエンチガスには、例えば、フッ素（Ｆ）、臭素（Ｂｒ）又は塩素（Ｃｌ）等のハロゲン系のガスが用いられる。
【００２２】
封入管１１０を介して空間１１５に放射線が侵入すると、放射線は不活性ガスを正に帯電したイオンと負に帯電した電子とに電離させる。また、陽極電極１２０と陰極電極１３０との間に例えば４００から６００Ｖの電圧がかけられることにより空間１１５に電場が形成される。そのため、電離したイオン及び電子は、それぞれ陰極電極１３０及び陽極電極１２０に向かって加速する。加速されたイオンは、他の不活性ガスに衝突して他の不活性ガスを電離させる。このような電離の繰り返しにより、空間１１５には雪崩状に電離したイオン及び電子が形成されパルス電流が流れる。ガイガーミュラー計数管１００を有する放射線検出器は、このようなパルス電流によるパルス信号のパルスの回数を計測することにより放射線量を測定することができる。また、このような電流が連続的に流れるとパルスの回数を計測できなくなるが、これを防ぐためにクエンチガスが不活性ガスと共に空間１１４に封入されている。クエンチガスはイオンが有するエネルギーを失わせる働きをする。
【００２３】
ガイガーミュラー計数管１００の作製方法としては、まず、円筒形の封入管１１０が用意される。そして、空間１１４に陽極電極１２０の棒状部１２１及び陰極電極１３０の環状部１３１が配置されるように、第１金属リード部１２２に接続された棒状部１２１及び第２金属リード部１３２に接続された環状部１３１が封入管１１０に封入される。その後、封入管１１０に排気管１１２が取り付けられ、排気管１１２を介して空間１１４が真空引きされた後に不活性ガス及びクエンチガスが導入される。最後に排気管１１２が封止されることにより、ガイガーミュラー計数管１００が作製される。
【００２４】
ガイガーミュラー計数管１００では、陽極電極１２０及び陰極電極１３０が、線状の第１金属リード部１２２及び線状の第２金属リード部１３２を介して挿入されている。すなわち、陽極電極１２０及び陰極電極１３０と封入管１１０との接触面積が小さくなっている。電極と封入管とは基材が異なることにより互いの熱膨張係数が異なる場合があるが、この熱膨張係数の違いにより第１金属リード部１２２及び第２金属リード部１３２と封入管１１０との間に隙間ができ、これに起因して空間１１４の密封が解かれてしまう場合がある。また、熱膨張係数の違いにより封入管１１０に熱歪が生じ、封入管１１０にクラック等を生じさせる原因になる。ガイガーミュラー計数管１００では、第１金属リード部１２２及び第２金属リード部１３２が線状に形成され、これらの電極と封入管１１０との接触面積が小さくなるように形成されることで、電極と封入管１１０とが異なる素材により形成され、互いに熱膨張係数が異なっていたとしても、電極と封入管１１０との間に隙間が形成されにくくなり、空間１１４の密封が解かれることが防がれる。また、電極と封入管１１０との接触面積が小さくなるように形成されることで熱歪により封入管１１０にクラック等が生じることが防がれる。
【００２５】
また、ガイガーミュラー計数管１００では、陽極電極１２０が封入管１１０に対して陰極電極１３０の反対側より挿入されていることにより、陽極電極１２０及び陰極電極１３０が互いに近接して形成されることがない。陽極電極１２０及び陰極電極１３０が近接して形成される場合には空間１１４の電場が乱されて放射線の正確な測定ができなくなり、空間１１４に放電が起こる場合があるが、ガイガーミュラー計数管１００では、陽極電極１２０及び陰極電極１３０が互いに離れて形成されているため空間１１４に形成される電場が乱されることがなく、放電が起こることが妨げられている。
【００２６】
＜封入管及び電極の素材＞
ガイガーミュラー計数管１００の環状部１３１を形成する金属パイプは例えばステンレス又は金属コバールにより形成され、棒状部１２１、第１金属リード部１２２及び第２金属リード部１３２は例えば金属コバール又は４２６合金により形成されることができる。金属コバールは鉄、ニッケル、コバルトの合金であり、４２６合金はニッケル（Ｎｉ）を４２％、クロム（Ｃｒ）を６％、鉄（Ｆｅ）を５２％含む合金である。また、封入管１１０にはソーダガラス及びホウケイ酸ガラス等のさまざまなガラスを用いることができる。ガイガーミュラー計数管１００は、陽極電極１２０及び陰極電極１３０が絶縁体である封入管１１０内に封入されていることにより、陽極電極１２０と陰極電極１３０との間に高電圧がかけられても安全に取り扱うことができる。
【００２７】
封入管１１０にソーダガラスを用いる場合には、第１金属リード部１２２及び第２金属リード部１３２にガラスと熱膨張率が同じである４２６合金を用い、封入管１１０にホウケイ酸ガラスを用いる場合には、第１金属リード部１２２及び第２金属リード部１３２にホウケイ酸ガラスと熱膨張率が同じである金属コバールを用いることが望ましい。電極と封入管１１０との熱膨張率を等しくすることでも空間１１４の密封が解かれること、及び封入管１１０にクラック等が生じることが防がれるためである。また、第１金属リード部１２２及び第２金属リード部１３２は、ガラスに直接接触するため、酸化処理をしてガラスとの接触部分を強くし、気密性を確保することが好ましい。
【００２８】
また、封入管１１０には石英ガラスが用いられてもよい。ガイガーミュラー計数管１００の形成工程では、第１金属リード部１２２及び第２金属リード部１３２を介した封入管１１０の封止、及び排気管１１２の形成等により封入管１１０に熱歪がたまってクラックが入る場合がある。石英ガラスは熱膨張率が小さく、熱歪がたまり難いためこれらの工程で封入管１１０にクラックが入ることが防がれる。このような石英ガラスは、以下に説明するガイガーミュラー計数管２００、３００Ａ、３００Ｂ、４００において用いられても良い。
【００２９】
一方、空間１１４内には金属を腐食させるハロゲン系のクエンチガスが封入されるため、空間１１４に配置される電極には腐食しないように酸化処理が行われる。しかしこの酸化処理は電極の酸化処理状態にバラツキが生じ、これがガイガーミュラー計数管の特性に大きな影響を及ぼす。そのため、電極をクエンチガスの腐食性に耐えられる素材で形成し、酸化処理を行わないようにしても良い。例えば、陽極電極１２０及び陰極電極１３０はモリブデン（Ｍｏ）の割合を１００％として形成することができる。モリブデン（Ｍｏ）はハロゲンガスに対して耐腐食性を有しているため、電極の腐食が防がれ、また、クエンチガスが腐食により消費されることが防がれる。また、この場合には封入管１１０にモリブデン（Ｍｏ）と同じ又は近い熱膨張率を有するモリブデン封着用ガラスを用いることが望ましい。モリブデン封着用ガラスはホウケイ酸ガラスのうち熱膨張率がモリブデンに近いものである。これにより、空間１１４の密封が解かれること、及び封入管１１０にクラック等が生じることが防がれる。このように電極材料にモリブデンを使用することは、以下に説明するガイガーミュラー計数管２００、３００Ａ、３００Ｂ、４００においても適用することができる。
【００３０】
＜ガイガーミュラー計数管２００の構成＞
図３は、ガイガーミュラー計数管２００の断面図である。ガイガーミュラー計数管２００は、封入管１１０と、陽極電極１２０と、陰極電極２３０と、により構成されている。また、陰極電極２３０は、環状部２３１と、第２金属リード部２３２と、により構成されている。環状部２３１は環状部１３１（図２（ａ）参照）よりもＺ軸方向に長く形成されており、陽極電極２２０の先端、すなわち棒状部２２１の先端は、環状部１３１に囲まれる空間１１５に配置されている。また、棒状部２２１の先端の＋Ｚ軸側の先端を覆うように絶縁体１４０が形成されている。絶縁体１４０は、例えばガラス等により形成される。
【００３１】
ガイガーミュラー計数管は、外形の形状の制約及び構造上の制約等により陽極電極の先端が環状部に囲まれる空間１１５内に配置される場合がある。例えば、ガイガーミュラー計数管２００は、より感度を上げるために環状部２３１を長く形成し、放射線を検出するための空間１１５を広くしている。しかし、図３に示されるような状態で環状部２３１の長さに合わせて棒状部１２１の長さを長くすると、棒状部１２１が第２金属リード部２３２に接触して短絡する可能性が生じるため、陽極電極２２０の先端が空間１１５内に配置される。このように、陽極電極２２０の先端が空間１１５内に配置される場合は、陽極電極２２０の先端から放電が起こる場合がある。ガイガーミュラー計数管２００では、陽極電極２２０の先端を絶縁体１４０により覆うことにより、このような放電の発生が防がれている。
【００３２】
（第２実施形態）
ガイガーミュラー計数管の陰極電極の環状部は、金属パイプの代わりに他の部材が形成されていてもよい。以下に、金属パイプの代わりに他の部材が用いられたガイガーミュラー計数管について説明する。また、以下の説明では、第１実施形態と同じ部分には同じ番号を付してその説明を省略する。
【００３３】
＜ガイガーミュラー計数管３００Ａの構成＞
図４（ａ）は、ガイガーミュラー計数管３００Ａの断面図である。図４（ａ）では、説明のために断面上にない環状部３３１ｂが点線で示されている。ガイガーミュラー計数管３００Ａは、封入管１１０と、陽極電極１２０と、陰極電極３３０ａと、により構成されている。陰極電極３３０ａは、環状部３３１ａと第２金属リード部３３２ａとを含んでいる。環状部３３１ａは、棒状部１２１の周りに棒状部１２１から一定の距離だけ離れて巻かれる巻き線として形成される。環状部３３１ａは第２金属リード部３３２ａの一部を巻き線状にすることで、第２金属リード部３３２ａと一体的に形成することができる。
【００３４】
図４（ｂ）は、図４（ａ）のＢ―Ｂ断面図である。封入管１１０の空間１１４では、陽極電極１２０の周りを陽極電極１２０から一定の距離だけ離れて囲むように陰極電極３３０ａの環状部３３１ａが形成されている。すなわち、棒状部１２１は環状部３３１ａの中心に配置されている。また、空間１１４には不活性ガス及びクエンチガスが封入されている。
【００３５】
ガイガーミュラー計数管３００Ａは、陰極電極３３０ａの環状部３３１ａと第２金属リード部３３２ａとを一体的に形成することにより、環状部３３１ａと第２金属リード部３３２ａとを溶接する作業を行う必要がなく、ガイガーミュラー計数管３００Ａの形成が容易になる。
【００３６】
また、ガイガーミュラー計数管３００Ａでは環状部３３１ａにモリブデン（Ｍｏ）のような固い金属を用いることが容易であり、環状部３３１ａと第２金属リード部３３２ａとを互いに異なる材質としても良い。一般的に、円筒形の陰極電極にモリブデン（Ｍｏ）のような固い金属を使用することは困難である。これは、モリブデン（Ｍｏ）のような固い金属はたたいたりすると割れてしまうことがあるため、例えば円柱状治具をモリブデン（Ｍｏ）の金属板に押し込むことによりモリブデン（Ｍｏ）の円筒を形成することが困難であること、及びモリブデン（Ｍｏ）は溶接が困難であるためモリブデン（Ｍｏ）の板を丸めて溶接することにより円筒形を形成することが困難であること、に起因する。しかし、巻き線状に形成された陰極電極３３０ａでは、陰極電極３３０ａの形成段階で衝撃が加えられず、溶接することなく形成することができるためモリブデン（Ｍｏ）のような固い金属を使用することが容易である。
【００３７】
＜ガイガーミュラー計数管３００Ｂの構成＞
図５（ａ）は、ガイガーミュラー計数管３００Ｂの側面図である。ガイガーミュラー計数管３００Ｂは、封入管１１０と、陽極電極１２０と、陰極電極３３０ｂと、により構成されている。陰極電極３３０ｂは、環状部３３１ｂと第２金属リード部３３２ｂとを含んでいる。環状部３３１ｂは、棒状部１２１の周りに棒状部１２１から一定の距離だけ離れており、ガイガーミュラー計数管３００Ａの環状部３３１ａを隙間なく巻いた状態の巻き線である。環状部３３１ｂは第２金属リード部３３２ｂの一部を巻き線状にすることで、第２金属リード部３３２ｂと一体的に形成することができる。
【００３８】
図５（ｂ）は、ガイガーミュラー計数管３００Ｂの断面図である。隙間なく巻かれた環状部３３１ｂは、図２（ａ）に示される環状部１３１の形状に近くなる。環状部に隙間がある場合、この隙間にはパルス信号になる電流が流れないが、隙間なく巻かれた環状部３３１ｂではパルス信号になる電流が流れない領域がない。そのため、隙間がある環状部３３１ａ（図４（ａ）参照）よりも検出感度を上げることができる。
【００３９】
＜ガイガーミュラー計数管４００の構成＞
図６（ａ）は、ガイガーミュラー計数管４００の断面図である。ガイガーミュラー計数管４００は、封入管１１０と、陽極電極１２０と、陰極電極４３０と、により構成されている。陰極電極４３０は、環状部４３１と、第２金属リード部４３２と、により形成される。環状部４３１は、平面状の導電性シートに第２金属リード部４３２を電気的に接続し、導電性シートを筒状に丸めて封入管１１０の中に入れることにより形成されている。
【００４０】
図６（ｂ）は、図６（ａ）のＣ−Ｃ断面図である。丸められた導電性シートには平面の形状に戻ろうとする力が働くため、導電性シートは空間１１４において封入管１１０の内壁に張り付くように配置される。環状部４３１は封入管１１０の内壁に密着して配置されるため、環状部４３１の表面積を広くすることができる。すなわち、ガイガーミュラー計数管４００において放射線を検出するための領域が広く形成されるため、ガイガーミュラー計数管４００の感度を上げることができる。また、タングステンなどの金属パイプ状に加工しにくい材料でも電極として使用することができる。
【００４１】
以上、本発明の最適な実施形態について詳細に説明したが、当業者に明らかなように、本発明はその技術的範囲内において実施形態に様々な変更・変形を加えて実施することができる。
【符号の説明】
【００４２】
１０  …  放射線検出器
１１  …  測定部
１２  …  信号処理部
１３  …  ケーブル
１４  …  結果表示部
１００、２００、３００Ａ、３００Ｂ、４００  …  ガイガーミュラー計数管
１１０  …  封入管
１１２  …  排気管
１１４、１１５  …  空間
１２０  …  陽極電極
１２１  …  棒状部
１２２  …  第１金属リード部
１３０、２３０、３３０ａ、３３０ｂ  …  陰極電極
１３１、２３１、３３１ａ、３３１ｂ  …  環状部
１３２、２３２、３３２ａ、３３２ｂ  …  第２金属リード部
１４０  …  絶縁体
【図１】
2014055817.tif 000003
【図２】
2014055817.tif 000004
【図３】
2014055817.tif 000005
【図４】
2014055817.tif 000006
【図５】
2014055817.tif 000007
【図６】
2014055817.tif 000008